(57)【要約】【課題】  把手が起立状態はもとより、伏臥（水平）状態から起立状態の全ての状態で安定保持されて、運搬作業の効率化を図れるとともに、怪我の発生する虞れを回避できる、把手つき容器およびそれに用いられる座金を提供する。【解決手段】  有底筒状の胴体１の上部開口を閉塞する天板２と、該天板２の上面に溶着される座金１０と、前記座金１０に形成された把手挿入孔１１，１１に対し両端部の挿入部２１、２２が嵌挿される把手２０とを備えた容器であって、前記座金１０の把手挿入孔１１，１１の把手挿入口１１Ａ，１１Ａを把手２０の挿入部２１，２２の挿入方向に窪んだ円弧面とし、前記把手２０はその弾発力により座金１０の円弧面を摺接しつつ回動自在に枢着する。【選択図】          図３
2005343556.tif 000002
【特許請求の範囲】
【請求項１】
有底筒状の胴体の上部開口を閉塞する天板と、該天板の上面に溶着される座金と、前記座金に形成された把手挿入孔に対し両端部の挿入部が嵌挿される把手とを備えた把手つき容器であって、
前記座金の把手挿入孔の把手挿入口を把手の挿入部の挿入方向に窪んだ円弧面とするとともに、前記把手は該把手の弾発力により座金の円弧面を摺接しつつ回動自在に枢着したことを特徴とする把手つき容器。
【請求項２】
前記座金は、前記天板上に所定間隔を隔てて一対設けられ、当該一対の座金のそれぞれに有する把手挿入孔に前記把手の一対の挿入部のそれぞれを嵌挿するように構成してなり、前記座金の把手挿入孔は貫通状に形成され、当該把手挿入孔の両端に前記円弧面を有する把手挿入口を形成したことを特徴とする請求項１に記載の把手つき容器。
【請求項３】
有底筒状の胴体の上部開口を閉塞する天板と、該天板の上面に溶着される座金と、前記座金に形成された把手挿入孔に対し両端部の挿入部が嵌挿される把手とを備えた把手つき容器に使用される座金であって、前記座金の把手挿入孔の把手挿入口を前記把手の挿入部の挿入方向に窪んだ円弧面としたことを特徴とする把手つき容器に使用される座金。
【請求項４】
前記座金の把手挿入孔はその座金に対して貫通状に形成するとともに、前記把手挿入孔の両端に形成された把手挿入口の両方を円弧面とすることを特徴とする請求項３に記載の把手つき容器に使用される座金。
【発明の詳細な説明】
【技術分野】
【０００１】
この発明は、液体や粉末等の被収容物を収納する把手つき容器とそれに用いられる座金に関する。
【背景技術】
【０００２】
この種の把手つき容器としては、中央部に出入口を有する平面視矩形状の天板の対角線上に、前記出入口を挟んでそれぞれ座金を設け、当該座金の筒部に針金手環と称する把手の両端部をそれぞれ挿入し、両座金間で把手を１８０度自在に回転し得るように構成したものが知られている（特許文献１）。このものは、把手を天板中央に設けることが一般的であったため、出入口を中央に配置した場合に、把手の取り付け位置や把手の数などに苦慮した問題を解消しようとするものである。つまり、前記天板の中央部に大きい出入口を形成しても、効率的に運搬作業を行え、かつ、製造過程でも非能率になることなく、また、容器を複数収納する場合に隣り合う容器同士に隙間が生じて収納効率が悪くなるといった虞を解消することを目的とするものである。
【０００３】
また、缶を外装箱で包装した状態で缶の内容物を注ぎ出すために、缶の注ぎ口から遠い側にのみ倒れる把手を備えた包装缶が提案されている（特許文献２）。このものでは、把手が出入口に近い側に倒れることがないように、把手を取り付ける座金の把手挿入口の形状を把手が倒れる側に半円弧面を形成するように切り欠くことが開示されている。この切り欠きによって把手が一方向にしか倒れなくなる結果、外装箱上面の切り欠き部分を小さくすることができるものである。
【０００４】
さらに、本願出願人により出願されたものとして、把手つき容器の天板の中央に広口の出入口を形成した状態で把手を設けることができ、かつ、その把手は前記天板に対して起立状態と伏臥（水平）状態の２状態で安定的に保持されるものが知られている（特許文献３）。より具体的には、前記把手を取り付けるために前記天板に前記広口を挟んで一対の座金を溶接によって固定し、この対向する一対の座金の向かい合う把手挿入孔の把手挿入口間に、前記把手の端部をそれぞれ内方から外方に向かって嵌挿している。また、前記把手挿入口は、一対の切り欠き部と当該切り欠き部の間に突出部を形成している。前記把手は、伏臥（水平）状態時に、把手の一部である立上がり基部が前記切り欠き部に係合されて安定状態を保持され、伏臥（水平）状態からその把手の弾性に抗して前記切り欠き部から突出部に至るまでの段差を乗り越えて起立状態とすると、前記把手の弾発力によって把手の前記立上がり基部が前記突出部に押し付けされて、その把手の起立状態を保持するように働くのものである。
【０００５】
【特許文献１】実開昭４８−６５６７１号公報
【特許文献２】実開昭５５−１５３３３７号公報
【特許文献３】実開平７−３３８４７号公報
【発明の開示】
【発明が解決しようとする課題】
【０００６】
上記特許文献１では、天板に設けられた把手は把持していないと、静止状態では常に左右に倒れる伏臥（水平）状態となっているため、把持するためには伏臥している把手と天板の間に手を入れて起こして把持するといった面倒な作業が必要となる。したがって、複数の容器を連続して移動させる場合や、同じ容器を頻繁に移動させつつ容器内に収納した被収容物を使用して作業を行う場合には、作業効率が非常に悪いのである。
【０００７】
また、上記特許文献２では、容器の把手を嵌挿する座金の把手挿入口の切り欠きによって、把手が一方向にしか倒れなくなる結果、外装箱上面の切り欠き部分を小さくすることができるものの、上記特許文献１と同様に、把手が一方の側に倒れた伏臥（水平）状態が静止状態となるため、上記特許文献１と同様の問題を有するだけでなく、運搬時に把手と天板とが接触離間を繰り返して騒音を発生するといった問題がある。また、前記切り欠きによって、手指を怪我するなどの虞も有する。更に、前記切り欠きは、容器の利用を繰り返しているうちに変形をして前述した怪我の虞が高まるのである。
【０００８】
加えて、上記特許文献１及び２では、それぞれの座金の把手挿入口に対して、把手は外側から内側方向に嵌挿する構造を採用しているため、把手の両端側が広がって、嵌挿した座金から脱落してしまうといった問題もある。
【０００９】
さらに、特許文献３では、把手の一部である立ち上がり基部が前記切り欠き部に係合されて安定状態を保持され、伏臥（水平）状態からその把手の弾性に抗して前記切り欠き部から突出部に至るまでの段差を乗り越えて起立状態とすると、前記把手の弾発力によって当該把手の前記立ち上がり基部が前記突出部に押し付けされて、その把手の起立状態を保持されるが、倒立状態では把手の弾発力によって把手の立ち上がり基部が前記突出部に押し付けされて起立状態で保持されるが、伏臥（水平）状態では前記切り欠き部に係合されるのみであるから、運搬時の騒音は前記特許文献１及び２と同様に発生する虞がある。
【００１０】
また、前記切り欠き部と突出部との間に形成される段差で、手指が触れて怪我をするといった虞がある。前記段差は、起立状態と伏臥（水平）状態の２状態を繰り返す度に、前記把手の立ち上がり基部の接触により研磨され刃先状となったり、変形して突起状となって上述した怪我を起こし易くしたりする虞がある。
【００１１】
この発明は、上記従来技術の有する問題点を解消しようとするものであり、伏臥（水平）状態ではない、例えば、起立状態で安定することができるようにして運搬作業の効率化を図れるとともに、怪我の発生する虞を回避可能な把手つき容器およびそれに用いられる座金を提供するものである。
【課題を解決するための手段】
【００１２】
上記課題を解決するため、この発明は、以下のような把手つき容器を提供する。すなわち、有底筒状の胴体の上部開口を閉塞する天板と、該天板の上面に溶着される座金と、前記座金に形成された把手挿入孔に対し両端部の挿入部が嵌挿される把手とを備えた把手つき容器であって、前記座金の把手挿入孔の把手挿入口を把手の挿入部の挿入方向に窪んだ円弧面とするとともに、前記把手は該把手の弾発力により座金の円弧面を摺接しつつ回動自在に枢着したことを特徴とする（請求項１参照）。
【００１３】
前記座金は、前記天板上に所定間隔を隔てて一対設け、当該一対の座金のそれぞれに有する把手挿入孔に前記把手両端部の一対の挿入部のそれぞれを嵌挿するように構成しても良いし、前記天板上に一つの座金を設け当該座金の一対の把手挿入孔に、前記一対の把手間で有する弾性に抗して弾性変形させつつ前記把手両端部の一対の挿入部をそれぞれ嵌挿するように構成しても良い。
【００１４】
さらに、前者の場合には、前記座金の把手挿入孔を一対の座金が対向する位置に設け、前記把手の一対の挿入部を当該一対の挿入部間で有する弾性に抗して弾性変形させつつ、前記天板の内方から外方に向かって嵌挿しても良いし、前記一対の座金が対向する位置とは反対位置にそれぞれ把手挿入孔を設け、前記把手の一対の挿入部を当該一対の挿入部間で有する弾性に抗して弾性変形させつつ、前記天板の外方から内方に向かって嵌挿しても良い。前述したように前記内方から外方に向かって嵌挿すれば、前記天板から把手が脱落し難くなる。
【００１５】
そして、前記座金の把手挿入孔の把手挿入口は、その把手挿入孔への前記挿入部の挿入方向に窪んだ円弧面としているため、前記把手の一対の挿入部をそれぞれ嵌挿する把手挿入口間の距離が、前記把手の前記円弧面に摺接しつつ回動する回動角度に応じて異なることになるが、前記一対の挿入部間で有する弾性に抗して弾性変形させつつ両把手挿入孔に嵌挿する結果、前記把手は前記把手の両挿入部間の弾発力により前記座金の円弧面への摺接状態を維持することになる。したがって、前記把手と前記円弧面との接触部位には、当該把手の弾発力に応じた摩擦力が発生するため、前記把手は左右の伏臥（水平）状態から起立状態までの全ての角度で静止するようになる。つまり、前記弾発力は、当該弾発力に応じて前記把手と円弧面との間で発生する摩擦力により、前記把手と天板とでなす角度が０〜１８０度の全ての角度で静止可能に設定することが好ましい。この弾発力を効率的に得るために、前記把手はその両端の挿入部が前記座金の把手挿入孔に挿入された状態でアーチ状を呈する形状に構成することが好ましい。
【００１６】
前記把手はその両挿入部間で弾発力を保持することが可能な素材であれば、金属や合成樹脂など適宜採用することができる。
【００１７】
前記把手は、伏臥（水平）状態から起立状態までの全ての角度で静止するから、容器内に例えば塗料を収納した状態で、塗料を塗る場所を頻繁に移動する必要がある場合でも、一旦、前記把手を起立状態で静止させておけば、手を離すと倒れて伏臥（水平）状態になってしまい、移動する度にいちいち伏臥（水平）状態にある把手を起立状態に起こして把持するなどの面倒な作業を低減できる。
【００１８】
また、容器の搬送中においても、把手と座金の間に前記把手の弾発力に応じた摩擦力が発生するため、ガタガタと音を発しつつ伏臥（水平）状態から起立状態又はその逆に状態変化して騒音が発生することを低減することができる。このような騒音の問題は，前記容器が医療廃棄物のように病院内で搬送される容器として使用される場合には、より顕著な効果を期待できる。
【００１９】
前記座金は、前記天板上に所定間隔を隔てて一対の座金を設けられ、当該一対の座金のそれぞれに有する把手挿入孔に前記把手の一対の挿入部のそれぞれを嵌挿するように構成してなり、前記座金の把手挿入孔は貫通状に形成され、当該把手挿入孔の両端に前記円弧面を有する把手挿入口を形成したことを特徴とする（請求項２参照）。これによれば、天板に対して座金を例えば溶接する場合に、その取り付け方向を誤ってしまうなどの虞を回避できる。
【００２０】
次に、本発明は、前述した課題を解決するため、以下のような把手つき容器に使用する座金を提供する。すなわち、有底筒状の胴体の上部開口を閉塞する天板と、該天板の上面に溶着される座金と、前記座金に形成された把手挿入孔に対し両端部の挿入部が嵌挿される把手とを備えた把手つき容器に使用される座金であって、前記座金の把手挿入孔の把手挿入口を前記把手の挿入部の挿入方向に窪んだ円弧面としたことを特徴とする（請求項３参照）。
【００２１】
前記座金の把手挿入孔はその座金に対して貫通状に形成するとともに、前記把手挿入孔の両端に形成された把手挿入口の両方を円弧面とすること（請求項４参照）が好ましい。
なお、上述した円弧面は、平面視すると前記把手の挿入部の挿入方向に窪んだ形状である。
【発明の効果】
【００２２】
請求項１の発明によれば、有底筒状の胴体の上部開口を閉塞する天板と、該天板の上面に溶着される座金と、前記座金に形成された把手挿入孔に対し両端部の挿入部が嵌挿される把手とを備えた把手つき容器であって、前記座金の把手挿入孔の把手挿入口を把手の挿入部の挿入方向に窪んだ円弧面とするとともに、前記把手は該把手の弾発力により座金の円弧面を摺接しつつ回動自在に枢着しているから、前記把手の挿入部と座金の円弧面との接触部位で発生する摩擦力によって、前記把手は左右の伏臥（水平）状態から起立状態までの全ての角度で静止安定するようになり得る。
【００２３】
請求項２の発明によれば、前記座金は、前記天板上に所定間隔を隔てて一対を設けられ、当該一対の座金のそれぞれに有する把手挿入孔に前記把手の一対の挿入部のそれぞれを嵌挿するように構成すれば、上述した請求項１の構成に加えて、天板に対して座金を例えば溶接する場合に、その取り付け方向を誤ってしまうなどの虞を回避できる。
【００２４】
請求項３の発明によれば、有底筒状の胴体の上部開口を閉塞する天板と、該天板の上面に溶着される座金と、前記座金に形成された把手挿入孔に対し両端部の挿入部が嵌挿される把手とを備えた把手つき容器に使用される座金であって、前記座金の把手挿入孔の把手挿入口を前記把手の挿入部の挿入方向に窪んだ円弧面としているから、この座金を使用して把手つき容器を製作すれば、前述した請求項１の発明の把手つき容器の効果が達成できる。
【００２５】
請求項４の発明によれば、前記座金の把手挿入孔はその座金に対して貫通状に形成するとともに、前記把手挿入孔の両端に形成された把手挿入口の両方を円弧面としてあるから、前記座金を容器に取り付ける場合に、その取り付け方向を誤る虞を回避することができる。
【発明を実施するための最良の形態】
【００２６】
この発明の実施の形態の第１例を図１〜図５に基づいて以下に説明する。
【００２７】
図１はこの発明に係る把手つき容器の実施の形態を示す全体の斜視図、図２はこの発明に係る把手つき容器の伏臥（水平）状態にした図１の平面図、図３は図１における左側の座金であって把手を起立した状態で拡大して示した正面図、図４は図３における把手を伏臥（水平）状態とした正面図、図５は座金の斜視図を示している。
【００２８】
この把手つき容器は、容器本体をなす胴体１と、該胴体１の上部開口を閉塞する天板２と、底板３とから構成されている。
【００２９】
前記胴体１はこれに限定されるものではないが四角形筒状としており、これに伴い、天板２は、四角筒状の胴体１の上部開口を閉塞するように四角形状に形成してある。この天板２には中心から外周近くに向けて円形状の広口とした出入口４を形成している。この出入口４と外周縁５との間の外周近くの天板２の上面６であって、該天板２の中心を通る直径線Ｌつまりこの実施例では対角線上には、把手挿入孔１１を有する座金１０，１０を前記出入口４を挟んで対向して固定する。この固定方式としては、点溶接などの溶接を採用しても良いし、その他、接着剤による接着を採用するなど任意である。
【００３０】
前記出入口４は、被収容物の充填と取り出しを行う口であって、この実施の形態のように、天板２の略中央部分に設けることにより、その出入口４を天板２の隅角部に設ける場合に比べて、被収容物の充填や取り出しが容易なものとなるとともに、被内容物の移し変え時には、その移し変え時間の短縮を促すことが可能となる。
【００３１】
前記一対の座金１０，１０の把手挿入孔１１，１１の把手挿入口１１Ａ，１１Ａに、把手２０の両端側の一対の挿入部２１，２２を嵌挿して該把手２０を回動自在に枢着している。
【００３２】
即ち、前記座金１０，１０は、前記天板６上に所定間隔を隔てて一対設けられ、当該一対の座金１０，１０のそれぞれに有する把手挿入孔１１，１１に、前記把手２０の一対の挿入部２１，２２のそれぞれを嵌挿するように構成してある。そして、前記座金１０，１０の把手挿入孔１１，１１は貫通状に形成され、当該把手挿入孔１１，１１の両端に前記円弧面を有する把手挿入口１１Ａ，１１Ａを形成している。この把手挿入口１１Ａ，１Ａに把手を嵌挿する場合には、アーチ形状の把手２０の両端の一対の挿入部２１，２２を当該一対の挿入部２１，２２間の距離を狭める方向に、その把手の弾性に抗して弾性変形させつつ、前記天板２の内方から外方に向かって嵌挿している。よって、把手２０を把持して容器を搬送する場合でも、前記挿入部２１，２２間が広がって座金から把手２０が脱落する虞を低減できるのである。
【００３３】
前記座金１０，１０の把手挿入孔１１，１１の把手挿入口１１Ａ，１１Ａは、その把手挿入孔１１，１１への前記挿入部２１，２２の挿入方向に窪んだ円弧面としているため、把手２０の一対の挿入部２１，２２をそれぞれ嵌挿する把手挿入口１１Ａ，１１Ａ間の距離が、把手２０と円弧面との回動角度に応じて異なることになるが、一対の挿入部２１，２２間で有する弾性に抗して弾性変形させつつ両把手挿入孔１１，１１に嵌挿する結果、把手２０の立上がり基部２３，２４は両挿入部２１，２２間の弾発力により座金１０，１０の把手挿入口１１ Ａ、１１ Ａの円弧面への摺接状態をその全回動領域で維持することになる。
【００３４】
したがって、把手２０の立上り基部２３，２４と前記円弧面との接触部位には、当該把手２０の弾発力に応じた摩擦力が発生するため、把手２０は左右の伏臥（水平）状態（図４参照）から起立状態（図３参照）までの全ての角度でその摩擦力によって静止するようになる。つまり、前記弾発力の強さは、当該弾発力に応じて把手２０と前記円弧面との間で発生する摩擦力により、把手２０と天板２とでなす角度が０〜１８０度の全ての角度で静止可能に設定できるように、アーチ状の把手２０の材質や形状が予め設定されている。図３，図４に示す符号Ｈとｈとの差は、伏臥状態から水平状態に至る挿入部２１，２２の移動ストロークとなる。この移動ストロークが大きいほど、同一の弾性を有する素材や形状で形成した把手２０でも、その摩擦力が異なるものとなる。前記把手２０はその両挿入部２１，２２間で弾発力を保持することが可能な素材であれば、金属や合成樹脂など適宜採用することができるが、この発明では金属製の針金で構成している。
【００３５】
また、座金１０，１０の把手挿入孔１１，１１は、貫通状に形成され、かつ、該把手挿入孔１１，１１を覆うトンネル屋根１２を有し、このトンネル屋根１２，１２の左右には、天板２に溶接で固定する羽根部１３，１４を設けている。このように、把手挿入孔１１，１１を貫通状に形成して、その両端が円弧面を有する把手挿入口１１Ａ，１１Ａとしているから、座金１０の取り付け向きを誤ってしまい不都合が生じることを回避することができるのである。
【００３６】
そして、前記把手２０の両端部分には、座金１０から把手２０が抜けないように折曲部２５，２５を形成しており、この折曲部２５，２５の折り曲げしろは、物理的に座金１０から把手２０が抜けないように、把手挿入孔１１の直径よりも大とすることが好ましい。
【００３７】
図６は、この発明の変形例をしている。天板２の上面に前述した実施の形態では２つの座金１０，１０設けていたが、これを一つの座金１０としているものである。この一つの座金１０の把手挿入孔１１の両端に形成される円弧面を有する把手挿入口１１Ａ，１１Ａに、把手２０の両端部の挿入部２１，２２を嵌挿して構成されている。この嵌挿された状態において、把手２０は、その両挿入部２１，２２の先端間の距離が、座金１０に対して当該把手を嵌挿した状態で、嵌挿していない場合に比べて、広がるように予め成形されているため、把手２０の弾発力により、把手２０の一部である立上り基部２３，２４が把手挿入口１１Ａ，１１Ａに対して弾性的に接触した状態を保持することになる。この弾発力により、座金１０に対して把手２０を回動する場合に、把手２０と座金１０との間に摩擦力が発生し、把手２０は、伏臥状態から起立状態までの全ての角度で安定して保持されることになる。
【００３８】
また、この場合、上記図１〜図５の実施の形態では、把手２０の挿入部２１，２２が内方から外方に向けて把手挿入口１１Ａ，１１Ａより挿入される、所謂、内嵌めとなっているのに対し、この図６に示す変形例では、把手２０の挿入部２１，２２が外方から内方に向けて把手挿入口１１Ａ，１１Ａより挿入されている点で、両者は異なる。後者の場合は把手の弾性力が弱くなって、座金より把手が外れる虞れがある。
【産業上の利用可能性】
【００３９】
この発明は、食料油や醤油などの食料品や、薬液などの薬品、あるいは燃料又は塗料などの被収容物を収納するのに有用である。特に、内容物を頻繁に持ち運びしつつ作業を行う場合には、把手を起立状態で保持することができるので作業効率が向上するものである。また、運搬時においても騒音の面から有用なものである。
【図面の簡単な説明】
【００４０】
【図１】この発明に係る把手つき容器の実施の形態１を示す全体の斜視図である。
【図２】この発明に係る把手つき容器の伏臥（水平）状態にした図１の平面図である。
【図３】図１における左側の座金であって把手を起立した状態で拡大して示した正面図である。
【図４】図３における把手を伏臥（水平）状態とした正面図である。
【図５】座金の斜視図である。
【図６】この発明の変形例を示す斜視図である。
【符号の説明】
【００４１】
１            胴体
２            天板
４            出入口
６            上面
１０          座金
１１          把手挿入孔
１１Ａ        把手挿入口（円弧面）
１２          トンネル屋根
１３，１４    羽根部
２０          把手
２１，２２    挿入部
２３，２４    把手の立上がり基部
【図１】
2005343556.tif 000003
【図２】
2005343556.tif 000004
【図３】
2005343556.tif 000005
【図４】
2005343556.tif 000006
【図５】
2005343556.tif 000007
【図６】
2005343556.tif 000008